【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
コンテンツ再生処理を実行する情報処理装置であり、
再生対象となる入力コンテンツの構成データの一部を、変換データに置き換えるデータ変換処理を実行して再生コンテンツを生成する処理を実行するコンテンツ再生処理部と、
前記コンテンツ再生処理部に対して、前記データ変換処理において適用するパラメータを提供するパラメータ生成部とを有し、
前記コンテンツ再生処理部は、
再生コンテンツの区分領域として設定されたセグメント毎に異なるパラメータ識別子を取得し、該パラメータ識別子を伴うパラメータ算出要求を前記パラメータ生成部に出力する構成を有し、
前記パラメータ生成部は、
前記コンテンツ再生部からのパラメータ算出要求に応じて、セグメント対応のパラメータを前記コンテンツ再生部に提供する構成を有することを特徴とする情報処理装置。
【請求項２】
前記コンテンツ再生処理部は、
前記変換データを含む変換テーブルデータに対して、前記パラメータ生成部から取得するセグメント対応のパラメータを適用した演算処理または暗号処理を実行し、該セグメントの構成データに対する置き換えデータとして適用される変換データを含むデータの復元処理を実行する構成であることを特徴とする請求項１に記載の情報処理装置。
【請求項３】
前記コンテンツ再生処理部は、
コンテンツ再生区間情報であるクリップ情報に含まれるＥＰマップから、再生区間に含まれるセグメントの構成パケットのパケットナンバーを取得し、
前記パラメータ識別子と、コンテンツ構成データとしてのパケットナンバーとを対応付けたパラメータ識別子特定テーブルを参照して、前記セグメントの構成パケットのパケットナンバーに対応するパラメータ識別子を取得する処理を実行する構成であることを特徴とする請求項１に記載の情報処理装置。
【請求項４】
前記パラメータ識別子特定テーブルは、
前記パラメータ識別子と、コンテンツ構成データとしてのセグメントの先頭の位置にあるパケットのパケットナンバーを対応付けたテーブルであることを特徴とする請求項３に記載の情報処理装置。
【請求項５】
前記パケットナンバーは、
ＥＰマップに含まれるＩピクチャ対応のソースパケットナンバー（ＳＰＮ）であることを特徴とする請求項３に記載の情報処理装置。
【請求項６】
前記コンテンツ再生処理部は、
コンテンツ再生区間情報であるクリップ情報に含まれるＥＰマップの登録テーブル識別子であるＥＰマップ登録テーブルＩＤを取得し、
前記パラメータ識別子と、ＥＰマップ登録テーブルＩＤとを対応付けたパラメータ識別子特定テーブルを参照して、前記セグメントの構成パケットのパケットナンバーに対応するパラメータ識別子を取得する処理を実行する構成であることを特徴とする請求項１に記載の情報処理装置。
【請求項７】
前記パラメータ識別子特定テーブルは、
前記パラメータ識別子と、コンテンツ構成データとしてのセグメントの先頭の位置にあるパケットの情報を含むＥＰマップの登録テーブル識別子としてのＥＰマップ登録テーブルＩＤを対応付けたテーブルであることを特徴とする請求項６に記載の情報処理装置。
【請求項８】
前記コンテンツ再生処理部は、
コンテンツ再生区間情報であるクリップ情報に含まれるＥＰマップ登録テーブルの識別子であるＥＰマップ登録テーブルＩＤを取得し、
前記ＥＰマップ登録テーブルＩＤに基づいて、前記セグメントに対応するパラメータ識別子を算出する処理を実行する構成であることを特徴とする請求項１に記載の情報処理装置。
【請求項９】
前記コンテンツ再生処理部は、
前記ＥＰマップ登録テーブルＩＤに基づいて、前記セグメントに対応するパラメータ識別子を、下記算出式、すなわち、
（ＳＰ＿ＩＤ）＝（ＥＰ＿ｍａｐ＿ＩＤ）／Ｎ
ただし、
ＳＰ＿ＩＤ：パラメータ識別子、
ＥＰ＿ｍａｐ＿ＩＤ：ＥＰマップ登録テーブルＩＤ、
Ｎ：１セグメントに対応して設定されるＥＰマップ登録テーブル数、
上記式に従って算出する処理を実行する構成であることを特徴とする請求項８に記載の情報処理装置。
【請求項１０】
前記コンテンツ再生処理部は、
コンテンツ再生区間情報であるクリップ情報に含まれるＥＰマップ登録テーブルの利用数をカウントして、該ＥＰマップ登録テーブルカウント数に基づいて、前記セグメントに対応するパラメータ識別子を算出する処理を実行する構成であることを特徴とする請求項１に記載の情報処理装置。
【請求項１１】
前記コンテンツ再生処理部は、
前記変換データを含む変換テーブルデータをコンテンツ中に含まれるパケットから取得して、前記パラメータ生成部から取得するセグメント対応のパラメータを適用した演算処理または暗号処理を実行し、該セグメントの構成データに対する置き換えデータとして適用される変換データを含むデータの復元処理を実行する構成であることを特徴とする請求項１に記載の情報処理装置。
【請求項１２】
前記コンテンツ再生処理部は、
前記変換データを含む変換テーブルデータをコンテンツと異なる独立した変換テーブルデータから取得して、前記パラメータ生成部から取得するセグメント対応のパラメータを適用した演算処理または暗号処理を実行し、該セグメントの構成データに対する置き換えデータとして適用される変換データを含むデータの復元処理を実行する構成であることを特徴とする請求項１に記載の情報処理装置。
【請求項１３】
前記パラメータ算出部は、
情報処理装置内に設定されるバーチャルマシンによって実行する構成であることを特徴とする請求項１乃至１２いずれかに記載の情報処理装置。
【請求項１４】
前記コンテンツ再生処理部からの前記パラメータ算出部に対するパラメータ算出要求は、割り込み要求として実行され、前記パラメータ算出部から前記コンテンツ再生処理部に対するパラメータ提供は、前記割り込み要求に対する応答として実行する構成であることを特徴とする請求項１乃至１３いずれかに記載の情報処理装置。
【請求項１５】
情報記録媒体製造装置であり、
正当コンテンツ構成データと異なるブロークンデータを含むコンテンツと、
前記ブロークンデータの置き換え対象となる変換データを、コンテンツの区分領域であるセグメントに対応して設定されるパラメータによって演算または暗号化処理を施して記録した変換テーブルボディデータと、前記パラメータの識別情報としてのパラメータ識別子を記録したパラメータ識別子特定テーブルを含む変換テーブルと、
を生成するデータ処理部と、
前記ブロークンデータを含むコンテンツと、前記変換テーブルとを情報記録媒体に記録するデータ記録部と、
を有することを特徴とする情報記録媒体製造装置。
【請求項１６】
情報記録媒体であり、
一部のコンテンツ構成データが置き換えられて再生されるコンテンツと、
前記コンテンツ構成データを複数に区分して設定されたセグメントに対応して設定されるパラメータ識別子と、置き換えられる一部のコンテンツ構成データの置き換え対象となる変換データとを対応させて登録した変換テーブルとを格納し、
前記変換データは前記パラメータ識別子に対応するパラメータに基づき演算または暗号化処理を施したデータ
であることを特徴とする情報記録媒体。
【請求項１７】
データ構造であり、
一部のコンテンツ構成データが置き換えられて再生されるコンテンツと、
前記コンテンツ構成データを複数に区分して設定されたセグメントに対応して設定されるパラメータ識別子と、置き換えられる一部のコンテンツ構成データの置き換え対象となる変換データとを対応させて登録した変換テーブルとを格納し、
前記変換データは前記パラメータ識別子に対応するパラメータに基づき演算または暗号化処理を施したデータであること
を特徴とするデータ構造。
【請求項１８】
コンテンツ再生処理を実行する情報処理方法であり、
コンテンツ再生処理部において、再生対象となる入力コンテンツの構成データの一部を、変換データに置き換えるデータ変換処理を実行して再生コンテンツを生成する処理を実行するコンテンツ再生処理ステップと、
パラメータ生成部において実行するステップであり、前記コンテンツ再生処理部に対して、前記データ変換処理において適用するパラメータを提供するパラメータ生成ステップとを有し、
前記コンテンツ再生処理ステップは、
再生コンテンツの区分領域として設定されたセグメント毎に異なるパラメータ識別子を取得し、該パラメータ識別子を伴うパラメータ算出要求を前記パラメータ生成部に出力するステップを含み、
前記パラメータ生成ステップは、
前記コンテンツ再生部からのパラメータ算出要求に応じて、セグメント対応のパラメータを前記コンテンツ再生部に提供するステップを含むことを特徴とする情報処理方法。
【請求項１９】
情報記録媒体製造方法であり、
一部のコンテンツ構成データが置き換えられて再生されるコンテンツと、
前記コンテンツ構成データを複数に区分して設定されたセグメントに対応して設定されるパラメータ識別子と、前記置き換えられる一部のコンテンツ構成データの置き換え対象となるデータであり、前記パラメータ識別子に対応するパラメータに基づき演算または暗号化処理を施した変換データとを対応させて登録した変換テーブルと、
を生成するデータ処理ステップと、
前記ブロークンデータを含むコンテンツと、前記変換テーブルとを情報記録媒体に記録するデータ記録ステップと、
を有することを特徴とする情報記録媒体製造方法。
【請求項２０】
コンテンツ再生処理を情報処理装置上において実行させるコンピュータ・プログラムであり、
コンテンツ再生処理部において、再生対象となる入力コンテンツの構成データの一部を、変換データに置き換えるデータ変換処理を実行して再生コンテンツを生成する処理を実行するコンテンツ再生処理ステップと、
パラメータ生成部において実行するステップであり、前記コンテンツ再生処理部に対して、前記データ変換処理において適用するパラメータを提供するパラメータ生成ステップとを有し、
前記コンテンツ再生処理ステップは、
再生コンテンツの区分領域として設定されたセグメント毎に異なるパラメータ識別子を取得し、該パラメータ識別子を伴うパラメータ算出要求を前記パラメータ生成部に出力するステップを含み、
前記パラメータ生成ステップは、
前記コンテンツ再生部からのパラメータ算出要求に応じて、セグメント対応のパラメータを前記コンテンツ再生部に提供するステップを含むことを特徴とするコンピュータ・プログラム。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】変更
【補正の内容】
【００２９】
さらに、本発明の第４の側面は、
データ構造であり、
一部のコンテンツ構成データが置き換えられて再生されるコンテンツと、
前記コンテンツ構成データを複数に区分して設定されたセグメントに対応して設定されるパラメータ識別子と、置き換えられる一部のコンテンツ構成データの置き換え対象となる変換データとを対応させて登録した変換テーブルとを格納し、
前記変換データは前記パラメータ識別子に対応するパラメータに基づき演算または暗号化処理を施したデータであること
を特徴とするデータ構造にある。
【手続補正６】
【補正対象書類名】明細書
【補正対象項目名】００３０
【補正方法】変更
【補正の内容】
【００３０】
さらに、本発明の第５の側面は、
コンテンツ再生処理を実行する情報処理方法であり、
コンテンツ再生処理部において、再生対象となる入力コンテンツの構成データの一部を、変換データに置き換えるデータ変換処理を実行して再生コンテンツを生成する処理を実行するコンテンツ再生処理ステップと、
パラメータ生成部において実行するステップであり、前記コンテンツ再生処理部に対して、前記データ変換処理において適用するパラメータを提供するパラメータ生成ステップとを有し、
前記コンテンツ再生処理ステップは、
再生コンテンツの区分領域として設定されたセグメント毎に異なるパラメータ識別子を取得し、該パラメータ識別子を伴うパラメータ算出要求を前記パラメータ生成部に出力するステップを含み、
前記パラメータ生成ステップは、
前記コンテンツ再生部からのパラメータ算出要求に応じて、セグメント対応のパラメータを前記コンテンツ再生部に提供するステップを含むことを特徴とする情報処理方法にある。
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】変更
【補正の内容】
【００４２】
さらに、本発明の第６の側面は、
-  情報記録媒体製造方法であり、
一部のコンテンツ構成データが置き換えられて再生されるコンテンツと、
前記コンテンツ構成データを複数に区分して設定されたセグメントに対応して設定されるパラメータ識別子と、前記置き換えられる一部のコンテンツ構成データの置き換え対象となるデータであり、前記パラメータ識別子に対応するパラメータに基づき演算または暗号化処理を施した変換データとを対応させて登録した変換テーブルと、
を生成するデータ処理ステップと、
前記ブロークンデータを含むコンテンツと、前記変換テーブルとを情報記録媒体に記録するデータ記録ステップと、
を有することを特徴とする情報記録媒体製造方法にある。
【手続補正１９】
【補正対象書類名】明細書
【補正対象項目名】００４５
【補正方法】変更
【補正の内容】
【００４５】
さらに、本発明の第７の側面は、
コンテンツ再生処理を情報処理装置上において実行させるコンピュータ・プログラムであり、
コンテンツ再生処理部において、再生対象となる入力コンテンツの構成データの一部を、変換データに置き換えるデータ変換処理を実行して再生コンテンツを生成する処理を実行するコンテンツ再生処理ステップと、
パラメータ生成部において実行するステップであり、前記コンテンツ再生処理部に対して、前記データ変換処理において適用するパラメータを提供するパラメータ生成ステップとを有し、
前記コンテンツ再生処理ステップは、
再生コンテンツの区分領域として設定されたセグメント毎に異なるパラメータ識別子を取得し、該パラメータ識別子を伴うパラメータ算出要求を前記パラメータ生成部に出力するステップを含み、
前記パラメータ生成ステップは、
前記コンテンツ再生部からのパラメータ算出要求に応じて、セグメント対応のパラメータを前記コンテンツ再生部に提供するステップを含むことを特徴とするコンピュータ・プログラムにある。